(57)【要約】      （修正有）【課題】地震が発生しても展示されている展示用物品や展示台が転倒することを防止する免震台を提供する。【解決手段】屋内の床１面上に載置される基板４と、この基板４上に固設され、その重心がほぼ前記基板４平面の中心の垂直線上にある台座５とからなる免震台３の、前記台座５には展示用物品２を着脱可能に載置固定し、該展示用物品２を台座５上に載置固定した際の基板４及び台座５及び展示用物品２の総質量の重心が、基板４及び台座５が占有する空間の内部の所定の領域内に位置するように、展示用物品２の質量に対して基板４と台座５の合算質量が十分に大きく、且つ、該合算質量の重心が極力低い位置にとられ、又、前記基板４の下面には良好な滑性を発現し得る合成樹脂からなる滑性面６を形成し、地震等の振動に対して免震台３が床１面上を摺動することにより、前記展示用物品２を転倒させることなく保護することを特徴とする。【選択図】図２
2008185151.tif 000002
【特許請求の範囲】
【請求項１】
屋内の床面上に載置される基板と、この基板上に固設され、その重心がほぼ前記基板平面の中心の垂直線上にある台座とからなる免震台の、前記台座には展示用物品を着脱可能に載置固定し、該展示用物品を台座上に載置固定した際の基板及び台座及び展示用物品の総質量の重心が、基板及び台座が占有する空間の内部の所定の領域内に位置するように、展示用物品の質量に対して基板と台座の合算質量が十分に大きく、且つ、該合算質量の重心が極力低い位置にとられ、又、前記基板の下面には良好な滑性を発現し得る合成樹脂からなる滑性面を形成し、地震等の振動に対して免震台が床面上を摺動することにより、前記展示用物品を転倒させることなく保護することを特徴とする展示用物品の免震台。
【請求項２】
基板と台座の合算質量と、展示用物品の質量をそれぞれＭ、ｍとし、基板と台座の合算質量Ｍの重心が位置する高さをｈＧ、展示用物品自体の重心の位置する高さをｌとするとき、基板の下端から台座の上端までの高さｈを、ｈ＞ｈＧ＋（ｍ／Ｍ）ｌの関係を満たすように設定することを特徴とする請求項１記載の免震台。
【請求項３】
基板と台座と展示用物品の総質量の重心Ｇの水平方向における位置が、台座の下端平面上の内部にあることを特徴とする請求項１又は２に記載の免震台。
【請求項４】
基板が、難錆性金属からなり、その下面に形成する滑性面が、四フッ化エチレンを主成分とする合成樹脂からなることを特徴とする請求項１乃至３のいずれかに記載の免震台。
【請求項５】
滑性面が、四フッ化エチレンを主成分としてなる合成樹脂を、基板下面にコーティングしてなることを特徴とする請求項１乃至４のいずれかに記載の免震台。
【請求項６】
滑性面が、四フッ化エチレンを主成分としてなる合成樹脂シートを、基板下面に配置してなることを特徴とする請求項１乃至４のいずれかに記載の免震台。
【発明の詳細な説明】
【技術分野】
【０００１】
本発明は、地震等による急激な振動が生じた場合においても、工芸品や彫刻をはじめとする美術品等の展示用物品を転倒させることなく保護する免震装置に関する。
【背景技術】
【０００２】
美術品等の展示用物品を、地震等による急激な振動から転倒させることなく保護することは、文化財の保護や経済的観点のみならず、来訪する見学者を展示用物品の転倒による被害から保護するという観点においても重要な課題になっている。このため、従来から美術品等を展示する際、彫刻等の展示用物品は、地震等による振動から保護するために免震装置を用いて設置するということがなされている。ただし、本明細書における展示用物品とは、展示状態にある物品及び非展示状態或いは保管状態にある物品のいずれも含むものである。上記課題を鑑みれば、一般に、展示用物品は免震装置を用いて展示或いは保管すべきであるが、実際には従来の免震装置は大変高額であり、比較的重要度の高い展示用物品は優先的に免震装置を用いて展示或いは保管されるものの大半は免震装置を用いずに展示或いは保管されているというのが現状である。
【０００３】
美術品等の展示用物品を、地震等による急激な振動から転倒させることなく保護するための従来の免震装置には、水平面内に敷設される、互いに直交方向に転動し得るようにガイドレール上に配置される一対のローラと、このローラ上に揺動可能に配設される台板とを備え、地震等による水平方向の揺れを前記ローラの転動と台板の揺動によって、台板上に載置された展示用物品に対して及ぶ振動を減退させて免震し、展示用物品の転倒を防止するように構成されているものがあった。このような構成を採るものの代表例としては、例えば、特開平９−１９１９８５号公報（特許文献１）に開示されている技術を挙げることが出来る。この他、特開平１１−２０１２３０号公報（特許文献２）には、上下二面間の表裏にわたって貫穿された貫通孔を有する該上下二面間に互いに摺動する滑り面を形成してなる一対の箱体と、前記貫通孔内を垂直方向に通して前記箱体どうしを連結するコイルバネとを備え、下方に位置する箱体が床面上に固定され、水平方向の揺れが与えられた際に、それらの箱体どうしが互いに摺動して振動を減退させると共に、相対的に移動した位置をコイルバネの復元力によって復帰させるようにした技術が開示されている。
【０００４】
しかしながら、これらの技術では、ガイドレールの長さや箱体の大きさ或いはコイルバネの長さによって、展示用物品を載置する台板の揺動範囲が規定されてしまい、振動周期の長い地震や水平方向の揺れ幅の大きな地震等が発生した場合には、ガイドレールや箱体の大きさが対応しきれず、免震作用が殆ど得られないという可能性や、全く免震効果が得られないばかりか、台板と床面上に固定された部材とのズレから台板がひっくり返って、台板上の展示物が転倒する畏れがあった。また、揺れ幅は、地震の振動そのものが大きい場合はもとより、高層建造物の屋内においては、地震の振動そのものはそれ程大きくなくても、揺れ幅が増幅されることがあるという問題もあり、美術館等の館内における展示用物品の展示に際しては、免震装置の揺れ幅に制約があって、その揺れ幅が小さいことが障害となっている。
【０００５】
また、上述したような免震装置においては、ガイドレールやコイルバネなどの各種部品で免震装置が作られており、一台当たりの費用がかかるため、全ての展示用物品の保護に適用できるものではなかった。
【０００６】
このような状況から、設置場所が限定されず、費用がかからず、より多くの展示用物品を地震から保護することが出来、見学者の危険も回避することが可能な免震装置の開発が切望されていた。
【０００７】
他方、建設業界においては、滑り支承と呼ばれる免震装置が知られ、広く実用に供している。この滑り支承と呼ばれる類の免震装置は、建物や橋梁等の建造物を免震させるためのものであり、基本的には、地盤や台座等に固定され、上面に潤滑層が形成された金属製の平板と、建造物を支える支柱の下端に固定され、前記潤滑層上に載置される、下面に潤滑層が形成された金属製の平板とを備え、前記潤滑層が四フッ化エチレン（以下、ＰＴＦＥと称す）等のフッ素系樹脂を主成分としてなり、該潤滑層どうしの当接面が良好な滑性を発現し得るように構成され、大きな地震等による強い揺れが生じた場合には、潤滑層どうしの当接面が低摩擦係数の摺接面となって互いに滑動し、建造物に及ぶ振動を減退させて免震するものである。このような構成を採る免震装置の公知文献としては、例えば、特開平１１−６２３１２号公報（特許文献３）が挙げられる。更に、潤滑層どうしの滑動における摩擦係数をより高度に低減させる目的で、潤滑層に多数の微細空孔を形成して該空孔に潤滑剤を充填して保持させてなる免震装置が、特許第３２０８１３０号公報（特許文献４）に開示されている。これらの滑り支承と呼ばれる免震装置は、超高圧状態においても長期間にわたって、潤滑層どうしの滑動における摩擦係数を極めて小さい状態で保持出来るように構成されている。
【０００８】
ところが、特許文献３及び４のいずれの文献に記載されている免震装置も、元々、美術品等のような展示用物品を載置して展示或いは保管して免震するためのものではなく、展示用物品を展示或いは保管して免震するのに適した構成にはなっていないため、展示用物品の免震装置としては不向きである上、基本構成としては特許文献２に開示されている美術品等の展示用物品用の免震装置とほぼ同等な構成であり、特許文献２と同様な問題がある。
【０００９】
また、特許文献１乃至４のいずれの文献に記載の技術も、どのような大きさや構成の免震装置に対して、どのような形状、大きさ、重さの展示用物品を、どのように載置したらよいかが示されていないため、それらの点は不明であった。そこで、本発明者は、どのような展示用物品に対して如何なる免震装置を如何に用いるべきかを鋭意研究した。
【特許文献１】特開平９−１９１９８５号公報
【特許文献２】特開平１１−２０１２３０号公報
【特許文献３】特開平１１−６２３１２号公報
【特許文献４】特許第３２０８１３０号公報
【発明の開示】
【発明が解決しようとする課題】
【００１０】
地震等の揺れによって転倒しないように物品を展示するには、安定した展示台に該物品を載置固定する必要がある。更に、展示台及び該展示台上に載置される物品からなる展示品が転倒しないようにするには、展示する物品を展示台にしっかりと固定し、該展示品の重心を成る可く展示台の下面の中心に近付けると共に、展示台の下面の面積を大きくとることが必要となる。しかしながら、展示台の大きさは、展示する物品の大きさよりも著しく大きくすれば見栄えが悪くなり、展示台の高さが低すぎれば、物品を良好な位置で見せられなくなるという問題がある。
【００１１】
そこで、本発明は展示台を、展示する展示用物品に対して、その大きさや形状、色、質感等を極力合わせ、美麗な外観を損ねることなく、展示用物品と展示台との外観上の調和を図ると共に、長い振動周期の地震や揺れ幅の大きな地震が発生しても展示されている展示用物品や展示台が転倒することを極力抑制することができる展示用物品の免震台を提供することを目的とする。
【課題を解決するための手段】
【００１２】
上記目的を達成するために本発明が採った手段は、屋内の床面上に載置される基板と、この基板上に固設され、その重心がほぼ前記基板平面の中心の垂直線上にある台座とからなる免震台の、前記台座には展示用物品を着脱可能に載置固定し、該展示用物品を台座上に載置固定した際の基板及び台座及び展示用物品の総質量の重心が、基板及び台座が占有する空間の内部の所定の領域内に位置するように、展示用物品の質量に対して基板と台座の合算質量が十分に大きく、且つ、該合算質量の重心が極力低い位置にとられ、又、前記基板の下面には良好な滑性を発現し得る合成樹脂からなる滑性面を形成し、地震等の振動に対して免震台が床面上を摺動することにより、前記展示用物品を転倒させることなく保護することを特徴とする。
【００１３】
基板と台座の合算質量と、展示用物品の質量をそれぞれＭ、ｍとし、基板と台座の合算質量Ｍがかかる重心の高さをｈＧ、展示用物品自体の重心の高さをｌとするとき、基板の下端から台座の上端までの高さｈを、ｈ＞ｈＧ＋（ｍ／Ｍ）ｌの関係を満たすように設定することを特徴とする。
【００１４】
基板と台座と展示用物品の総質量の重心Ｇの水平方向における位置が、台座の下端平面上の内部にあることを特徴とする。
【００１５】
基板が、難錆性金属からなり、その下面に形成する滑性面が、四フッ化エチレンを主成分とする合成樹脂からなることを特徴とする。
【００１６】
滑性面が、四フッ化エチレンを主成分としてなる合成樹脂を、基板下面にコーティングしてなることを特徴とする。
【００１７】
滑性面が、四フッ化エチレンを主成分としてなる合成樹脂シートを、基板下面に配置してなることを特徴とする。
【発明の効果】
【００１８】
本発明は、基板下面に滑性面を形成したという極めて簡単な構成であり、故障が無く、メンテナンスも不要であり、従来の装置に比べて著しく安価であり、あらゆる展示用物品に適用できるという効果を有する。
【００１９】
また、基板下面が平坦であるから、配置される床面に対する圧力の偏りがなく、均等に分圧することが出来、長期間にわたる高圧な負荷が床面や基板下面に掛っても摩擦係数を所定の範囲内の値に保持し易いという効果がある。
【００２０】
従来技術の免震装置は、ガイドレールや台座上に可動的に配設される展示用物品を載置するための台板と、ガイドレールや台座との水平方向のズレが生じ、ズレた台板の下方の空隙に台板が落下して倒れ込んでしまうおそれがあったが、本発明の免震台は、一定以上の広さの平坦な床面に配置され、地震等による振動の発生時には、該免震台が床面上を摺動することで免震するように構成されているので、上記の如くのズレによる転倒は皆無であるという効果がある。
【００２１】
また、従来の免震装置においては、対応可能な揺れ幅や振動周期は装置自体の構造や大きさによって規定されてしまっていたが、本発明の免震台においては、装置自体の構造や大きさによる揺れ幅や振動周期に対する対応範囲は無く、揺れ幅の大きな振動や振動周期の長い振動が生じた場合であっても、或いは、揺れ幅や振動周期に関わりなく地震の震動と当該免震台の揺れとが共振してしまうことがなく、展示用物品や展示台が転倒することを防止することが可能であるという効果がある。
【００２２】
また、免震台の平面領域内に展示用物品の平面領域が収まる場合には、該展示用物品の質量ｍとそれ自体の重心の高さｌとの積の値だけで、該免震台に対して載置固定しても安全か否かの判断が出来るようになるという効果がある。
【発明を実施するための最良の形態】
【００２３】
本発明の好ましい実施の形態を以下に図面を参照しながら詳細に説明する。図１は、平坦な床（１）に配置された免震台（３）に、所望の展示用物品（２）を載置固設して展示している様子を示す全体的な斜視図である。図２は、図１に示した免震台（３）の構造を示す縦断面図である。図３は、当該発明の免震台（３）と展示用物品（２）のそれぞれの高さと垂直方向の重心の位置等を示す模式図であり、図４は当該発明の免震台（３）と展示用物品（２）それぞれの水平方向の重心の位置と、該免震台（３）の水平方向の大きさ等を示す模式図である。図５は、当該発明の免震台（３）の力学的な転倒臨界を示す模式図である。図６は、当該発明の免震台（３）と該免震台（３）が配置される床（１）の大きさや位置関係を示す模式図である。
【００２４】
図１に示すように、展示用物品（２）の免震台（３）は、基板（４）と、該基板（４）上に載置固設される台座（５）とを備え、該台座（５）上には展示用物品（２）が載置固設されている。ここで、免震台（３）に載置固設されている展示用物品（２）は、美術品であって展示室内に展示されるものであるが、必ずしも美術品でなくても良い。
【００２５】
基板（４）は、台座（５）の大きさや形状に合わせて所定の大きさ及び形状に形成された平坦な下面を有する剛材から構成される。基板（４）をなす剛材の素材は、特に限定されるものではないが、硬質の金属等を用いることが出来、より好ましくはステンレス鋼や炭素鋼等の難錆性の金属を採用することが出来る。基板（４）の下面には、配置される床（２）面との間で良好な滑性を発現し得る合成樹脂からなる滑性面（６）を形成する。この滑性面（６）は、ポリテトラフルオロエチレン、テトラフルオロエチレンパーフルオロアルキルビニールエーテル共重合体、パーフルオロエチレン−プロピレン共重合体、エチレン−テトラフルオロエチレン共重合体、ポリクロロトリフルオロエチレン、エチレン−クロロトリフルオロエチレン重合体、ポリビニリデンフルオロライド、ポリビニルフルオロライド、テトラフルオロエチレン−パーフルオロジオキソール共重合体等から選ばれるフッ素系合成樹脂を主成分として構成することが出来、好ましくはポリテトラフルオロエチレン（ＰＴＦＥ）を用いて構成することが出来る。基板（４）の側面や上面は、台座（５）の色や質感に応じて塗装等を施すことが可能であり、これによって台座（５）と基板（４）との調和を図ることが出来、当該免震台（３）全体の美観を向上させることが出来る。
【００２６】
台座（５）は、該台座（５）上に載置固設される展示用物品（２）の大きさや形状、色、質感等に合わせて所定の大きさ及び形状に形成された剛材から構成される。台座（５）の大きさや形状は、好ましくは、台座（５）の下端の平面形状を基板（４）の平面形状に合わせて基板（４）平面形状に対して相似形とした柱状に形成することが出来、基板（４）平面よりも小さな平面形状の柱状に形成することがより好ましいが、勿論この限りではない。台座（５）をなす剛材は、特に限定されるものではないが、高強度で地震による急激な振動や応力等に耐え得る素材を選択することが望ましい。また、台座（５）の外側表面を大理石乃至大理石調の素材で作成し、見た目に美しくすることも出来る。
【００２７】
基板（４）と台座（５）は、一体的に固設される。基板（４）と台座（５）の固設方法は、特に限定されないが、地震等による急激な振動や外力或いは応力等に耐え得る方法によって固設する必要がある。例えば、基板（４）の所定箇所に所定数量、その表裏に貫通した貫通孔（７）を貫穿し、それらの貫通孔（７）の位置に対応させて台座（５）の下端から所定の深さの孔（８）を穿設し、該孔（８）内にナット（９）を回動しないように固設して、所定のボルト（１０）を基板（４）に貫穿した貫通孔（７）に下端から挿通し、対応する台座（５）下部の孔（８）内に固設されたナット（９）に螺合することで、基板（４）と台座（５）とを互いに固定してもよい。勿論、ボルト（１０）の頭部は、基板（４）の下端面より下方に突出しないように構成されていることは言うまでもない。この状態を模式的に示したのが図２である。図２において、台座（５）上には展示用物品（２）が載置固設されているが、台座（５）上に展示用物品（２）を載置固設する方法は、特に限定されず、従来公知の方法を用いることが出来る。ただし、図示しないが、台座（５）を互いに着脱可能な上部と下部とから構成し、該上部に対して展示用物品（２）を載置固設して、該下部を基板（４）上に載置固設するように構成すれば、必要に応じて、台座上部を展示用物品（２）と一体的に台座下部から取り外すことが出来るようになり、これによれば移設や設置後の運搬作業を軽減することも出来る。
【００２８】
図３に示すように、免震台（３）と、これに載置固設する展示用物品（２）の大きさや質量や重心の位置の関係は、基板（４）上に台座（５）を載置固設し、この上に展示用物品（２）を載置固設した際の基板（４）及び台座（５）及び展示用物品（２）の総質量のかかる重心の高さが、台座（５）までの高さを超えないように構成する。すなわち、基板（４）と台座（５）の合算質量をＭ、展示用物品（２）の質量をｍ、基板（４）下端から台座（５）の上端までの高さをｈ、合算質量Ｍのかかる重心ＧＭの基板（４）下端からの高さをｈＧ、展示用物品（２）自体の重心Ｇｍの高さをｌ、基板（４）及び台座（５）及び展示用物品（２）の総質量ｍ＋Ｍのかかる重心Ｇの高さをｈＧ’とするとき、重心Ｇの高さｈＧ’が、
ｈＧ’＝（ｈＧ＋（ｈ＋ｌ）ｍ）／（ｍ＋Ｍ）＜ｈ
を満たすように免震台（３）と展示用物品（２）の大きさや質量や重心の位置の関係を構成する。つまり、基板（４）下端から台座（５）の上端までの距離である免震台（３）の高さｈが、
ｈ＞ｈＧ＋（ｍ／Ｍ）ｌ
の大小関係を満たすように構成する。また、図４に示すように、基板（４）平面の中心点をＣ、中心点Ｃから重心ＧＭまでの水平距離をＲＧ、中心点Ｃから重心Ｇまでの水平距離をＲＧ’、中心点Ｃから重心Ｇｍまでの水平距離をＳ、中心点Ｃから台座（５）の下端部Ｄまでの水平距離をＲＤとするとき、水平距離ＲＧ’が水平距離ＲＤよりも小さくなるように構成する。つまり、水平距離ＲＧ’と水平距離ＲＤが、
ＲＧ’＝（ＲＧＭ＋Ｓｍ）／（ｍ＋Ｍ）＜ＲＤ
の関係を満たすように構成する。
【００２９】
更に、当該免震台（３）の高さｈが、一定の長さＨ未満となるようにし、重心Ｇを通る垂直線と台座（５）の上端との交点をＴ、重心Ｇを通る垂線と基板（４）下端との交点をＯとし、該交点Ｏから最短距離をなす基板（４）端部Ｅまでの距離である基板（４）の短半径をＲとするとき、該短半径Ｒが一定の長さｒより大きくなるように設定する。そして、これらＨ及びｒは、図５に示すように、地震によって有限の大きさとして生じ得る、交点Ｔの水平方向の移動速度ＶＴと基板（４）端部Ｅの水平方向の移動速度ＶＥとの相対速度をデルタＶ、その設置場所の重力加速度をｇとするとき、デルタＶ２／（２・ｇ）＜（ｒ２＋Ｈ２）１／２−Ｈの関係を満たすように、当該免震台（３）の大きさや形状、重さや重心或いは基板（４）下面と床（１）面との間の摩擦係数を設定する。ただし、基板（４）の下面に良好な滑性を発現し得るように合成樹脂からなる滑性面（６）を形成するのは、前記デルタＶが一定の大きさを超えないようにすることを目的としている。
【００３０】
以上の相対速度デルタＶと一定長さｒ及びＨの大小関係は、図５に基づいて導出される。端点Ｅの垂直線と、端点Ｅを支点として免震台（３）を回動させたときの交点Ｔとの交点を点Ｔ’とするとき、当該免震台（３）が転倒するか否かは、該免震台（３）が端点Ｅを支点として回動し、交点Ｔが点Ｔ’を越えるか否かによる。これは、交点Ｔを全質量が集積した質点と考え、交点Ｔが端点Ｅに対して有限の速度を持つか否かを問うことである。これは、すなわち、交点Ｏが床（１）面に設置しているときの端点Ｅと交点Ｔの最大の相対速度をデルタＶ、交点Ｔが点Ｔ’に到達したときの交点Ｔの端点Ｅに対する相対速度をデルタＶ’としたとき、相対速度デルタＶ’が有限の大きさを持つか否かを問うことであり、相対速度デルタＶ’が有限の値となれば免震台（３）が転倒することを示している。これらの相対速度を算出するに当たって、交点Ｏと端点Ｅの間の長さをｒ、交点Ｏと交点Ｔの間の長さをＨとすれば、転倒するか否かは交点Ｔの質点の質量に関係せず、この系の重力加速度をｇとすれば、所定の力学的エネルギーの計算からデルタＶ２／（２・g）＜（ｒ２＋Ｈ２）１／２−Ｈの関係が導出される。
【００３１】
以上のように当該発明の免震台（３）が、地震等によって該免震台（３）が揺動して、有限の大きさの相対速度デルタＶが生じても、相対速度デルタＶがデルタＶ２／（２・g）＜（ｒ２＋Ｈ２）１／２−Ｈの関係を満たし、免震台（３）の高さｈが、ｈ＜Ｈを満たし、短半径ＲがＲ＞ｒを満たすように構成され、且つ、展示用物品（２）の質量ｍとそれ自体の重心の高さｌとの積の値が、ｍｌ＜Ｍ（ｈ−ｈＧ）の関係を満たし、これら免震台（３）と展示用物品（２）の強度が十分に強く、該免震台（３）が設置される床（１）面積が十分に広ければ、展示用物品（３）を載置固設した状態の当該免震台（３）は転倒しないように構成されていることになる。
【００３２】
展示用物品の例としてブロンズ像を挙げて、転倒しないことを説明すると、ブロンズ像の質量が６〜２０ｋｇ程度、高さが２ｍ以下、その重心が１ｍ以下で、基板は、厚さを６ｍｍで０．９ｍの角形のステンレス鋼の場合、その質量は４０ｋｇ程度で、この基板上に台座を固設すると、全体の質量は２４０ｋｇ程度になる。更に、これら基板と台座とを互いに固定する固定具が凡そ５ｋｇ程度であって、基板の下端から台座の上端までの高さが１ｍ程度で、その重心が０．５ｍを越えないとすれば、２０ｋｇ×１ｍ＜（４０＋５＋２４０）ｋｇ×（１−０．５）ｍすなわち２０ｋｇ・ｍ＜１４２．５ｋｇ・ｍであるから十分に上記関係を満たすものになる。
【００３３】
地震による振動が、物体を動かすような場合の動力は、個々の物体の質量に比例した大きさの力として作用する。つまり、摩擦や空気抵抗を無視すれば、個々の物体が地震による動力によって加速される際の加速度は、質量に因らず一定となる。これは、慣性力が質量に比例して作用し、慣性力による物質の加速度は、質量に因らないことに起因するものである。ところが、人等が所定の質量の物体に対して力を加えて加速させる場合には、人の加える力がほぼ一定範囲内にあるために、凡そ物質に生じる加速度は質量に反比例する。従って、本発明の免震台の質量は、展示用物品に対して十分に重くすることが望ましく、摩擦係数は質量に反比例して小さくなるように設定することが望ましい。このように本発明の免震台を構成することで、地震の振動に対しては免震効果をもたらし、人的要因等の外力に対してはその場から殆ど動かない不動効果がもたらされ、更に、免震台の下方部分を重くすることで重心を低くすることが簡単に出来、これによっても転倒防止効果が得られるようになっている。
【００３４】
ただし、実際には摩擦係数を小さくし過ぎると、地震による揺れからの免震には優れた効果を発揮し得るが、その反面、見学者等が展示台或いはその上に載置固設されている展示用物品に対して不用意に接触したような場合には、展示台が大きく滑動し過ぎてしまう畏れがあるので、接触しても大きく滑動しないような摩擦係数が総質量に応じて選択される。
【００３５】
各種の床における摩擦係数を測定すると、磁器タイルの床で、展示用物品を載置固定した総重量が３４５Kgの免震台では、最大引張力が２４．１Kgで摩擦係数が０．０６〜０．０７であった。また、ワックス塗りプラスチックタイルの床では、最大引張力が４５．５Kgで摩擦係数が０．１２〜０．１３、リノリウムの床では、最大引張力が４２．５Kgで摩擦係数が０．１１〜０．１２、タイルカーペットの床では、最大引張力が５８．５Kgで摩擦係数が０．１５〜０．１７であったが、これらの摩擦係数に限定されるものではない。
【００３６】
以上のように構成される免震台（３）は、好ましくは、平坦で、該免震台（３）の基板（４）の下面との間に適度な摩擦力が生じる床（１）面上に配置する。更に、図６に示すように、免震効果を向上させること及び安全確保上の理由から該免震台（３）を床（１）面に配置する場合は、該床（１）面の中央領域に位置させることが望ましい。より好ましくは、免震台（３）の基板（４）の幅をｗ（＜ｗ’）として該基板の端部から最も接近した床（１）面端部までの距離ｗ１（＜ｗ２＜ｗ３＜ｗ４）を０．４ｍ以上とるようにし、面積比としては最低、床（１）面の面積が基板（４）の平面積に対して４倍以上になるようにする。このように、床（１）面上に免震台（３）を配置することによって、地震による振動の揺れ幅が、±０．４ｍ以下の場合、十分に免震効果を発揮し、該免震台（３）上に載置固設される展示用物品（２）を転倒させずに保護することが出来る。
【図面の簡単な説明】
【００３７】
【図１】免震台に展示用物品を載置固設した様子を示す斜視図
【図２】図１に示した免震台の構造を示す縦断面図
【図３】免震台と展示用物品のそれぞれの高さと垂直方向の重心の位置を示す模式図
【図４】免震台と展示用物品それぞれの水平方向の重心の位置と、免震台の水平方向の大きさ等を示す模式図
【図５】免震台の力学的な転倒臨界を示す模式図
【図６】免震台と該免震台が配置される床の大きさや位置関係を示す模式図
【符号の説明】
【００３８】
１  床
２  展示用物品
３  免震台
４  基板
５  台座
６  滑性面
７  貫通孔
８  孔
９  ナット
１０ ボルト
【図１】
2008185151.tif 000003
【図２】
2008185151.tif 000004
【図３】
2008185151.tif 000005
【図４】
2008185151.tif 000006
【図５】
2008185151.tif 000007
【図６】
2008185151.tif 000008